(57)【要約】【課題】掃気性が要請される運転状態では可能な限り交番点火を実行しつつ、振動を来すことなく掃気を効率よく行うこと。【解決手段】エキセントリックシャフト２０の負荷状態を判定する負荷状態判定部１０２と、ロータリエンジン１０の運転状態に基づいて当該点火プラグ１８０〜１８２の掃気の要否を判定する運転状態判定部１０１と、掃気が必要な場合には、エキセントリックシャフト２０の負荷状態が所定の低負荷にあるときを除き、Ｔプラグ１８０を含めた全ての点火プラグ１８０〜１８２を燃焼サイクル毎に一つずつ順番に休止させる全交番点火制御を実行する一方、掃気が必要な場合であって、エキセントリックシャフト２０の負荷状態が所定の低負荷にあるときには、Ｔプラグ１８０を常時点火とし、且つＬプラグ１８１、１８２を燃焼サイクル毎に交互に点火するリーディング交番点火制御を実行する燃焼制御部１０３とを備えている。【選択図】図５
2008309073.tif 000002
【特許請求の範囲】
【請求項１】
ロータハウジングの短軸よりリーディング側に２個、トレーリング側に１個設けられた点火プラグを有するロータリエンジンに設けられ、前記点火プラグの点火タイミングを制御するロータリエンジンの制御装置であって、
前記ロータリエンジンの出力軸の負荷状態を判定する負荷状態判定部と、
前記ロータリエンジンの運転状態に基づいて当該点火プラグの掃気の要否を判定する運転状態判定部と、
掃気が必要な場合には、前記出力軸の負荷状態が所定の低負荷にあるときを除き、トレーリング側の点火プラグを含めた全ての点火プラグを燃焼サイクル毎に一つずつ順番に休止させる全交番点火制御を実行する一方、掃気が必要な場合であって前記出力軸の負荷状態が前記所定の低負荷にあるときには、トレーリング側の点火プラグを常時点火とし、且つリーディング側の点火プラグを燃焼サイクル毎に交互に点火するリーディング交番点火制御を実行する燃焼制御部と
を備えていることを特徴とするロータリエンジンの制御装置。
【請求項２】
請求項１記載のロータリエンジンの制御装置において、
前記燃焼制御部は、前記全交番点火制御を実行する場合において、トレーリング側の点火プラグの点火を休止させるときには、リーディング側の２個の点火プラグの点火タイミングを互いにずらすものである
ことを特徴とするロータリエンジンの制御装置。
【請求項３】
請求項１または２記載のロータリエンジンの制御装置において、
前記負荷状態判定部は、当該ロータリエンジンに接続された変速機がニュートラルレンジである場合に前記出力軸の負荷状態が前記所定の低負荷にあると判定するものである
ことを特徴とするロータリエンジンの制御装置。
【請求項４】
請求項１から３の何れか１項に記載のロータリエンジンの制御装置において、
前記負荷状態判定部は、当該ロータリエンジンに接続された変速機のクラッチが遮断された場合に前記出力軸の負荷状態が前記所定の低負荷にあると判定するものである
ことを特徴とするロータリエンジンの制御装置。
【請求項５】
請求項１から４の何れか１項に記載のロータリエンジンの制御装置において、
前記運転状態判定部は、当該ロータリエンジンの回転速度が所定速度以下の運転状態のときに掃気が必要であると判定するものである
ことを特徴とするロータリエンジンの制御装置。
【請求項６】
請求項１から５の何れか１項に記載のロータリエンジンの制御装置において、
前記トレーリング側の点火プラグは、当該ロータハウジングの幅方向中央部に配置されているとともに、前記リーディング側の点火プラグは、当該ロータハウジングの側部から見て、前記トレーリング側の点火プラグを通るロータ回転方向沿いの中心線を軸に線対称に配置されている
ことを特徴とするロータリエンジンの制御装置。
【発明の詳細な説明】
【技術分野】
【０００１】
本発明はロータリエンジンの制御装置に関する。
【背景技術】
【０００２】
本件出願人は、特許文献１に開示されているように、ロータハウジングの短軸よりリーディング側に複数個、トレーリング側に一個設けられた点火プラグを有するロータリエンジンに、当該ロータリエンジンの低回転時には少なくともリーディング側の点火プラグを全て点火させ、高回転時にはリーディング側の点火プラグを交番点火させるとともに、トレーリング側の点火プラグを点火させる制御手段を設けた点火装置を先に提案している。ここで、交番点火とは、ロータリエンジンの一サイクルに一つの点火プラグの点火を休止し、点火が休止されるプラグを順番に変更する運転態様をいう。
【特許文献１】特開昭６０−３５１２５号公報
【発明の開示】
【発明が解決しようとする課題】
【０００３】
ところで、上述のようなロータリエンジンにおいては、ロータハウジングの内壁をロータが摺動することによってトルクを出力するものであるから、点火プラグの電極は、燃焼室から窪んだ位置に留まり、連通孔を通して燃焼室に臨むように構成されている。そのため、連通孔に既燃ガスが籠もりやすくなる。
【０００４】
点火プラグの連通孔に既燃ガスが籠もると、最悪の場合、全ての点火プラグが失火し、エミッションを低下させるおそれがある。特に、トレーリング側の点火プラグは、燃焼サイクルの過程で負圧の状態から吸気口と連通するタイミングがあるので、負圧で新気を吸引し、既燃ガスを比較的排出しやすい構造にあるが、リーディング側の点火プラグについては、ロータによって吸気口が閉じ、吸気側の圧力と排気側の圧力がバランスした後で新気が導入されるので、負圧による掃気効果が少なく、失火が生じやすくなる傾向がある。そのような問題を解決するためには、掃気のために交番点火を実行することが好ましい。
【０００５】
この点、特許文献１に係る装置では、交番点火制御をロータリエンジンのエンジン回転速度と要求トルクとに応じて行っているに過ぎず、掃気性の向上を目的としたものではなかった。そのため、各点火プラグの掃気を実行するためという観点からは、必ずしも好適な交番点火制御を実現できなかった。特に、掃気を目的とする交番点火は、トレーリング側の点火プラグを含めたローテーションで実行することが好ましいが、リーディング側の点火プラグのみが点火された時のロータリエンジンの燃焼特性は、トレーリング側の点火プラグを含めたときの燃焼特性と大きく異なるため、リーディング側の点火プラグのみが点火されるローテーションの際に、いわゆる燃焼対称性が大きく崩れてしまい、大きなトルク変動によって振動が生じる場合もあった。このため、エンジンの回転速度のみによって交番点火を制御することは困難であった。
【０００６】
本発明は上記不具合に鑑みてなされたものであり、掃気性が要請される運転状態では可能な限り交番点火を実行しつつ、振動を来すことなく掃気を効率よく行うことのできるロータリエンジンの制御装置を提供することを課題としている。
【課題を解決するための手段】
【０００７】
上記課題を解決するために本発明は、ロータハウジングの短軸よりリーディング側に２個、トレーリング側に１個設けられた点火プラグを有するロータリエンジンに設けられ、前記点火プラグの点火タイミングを制御するロータリエンジンの制御装置であって、前記ロータリエンジンの出力軸の負荷状態を判定する負荷状態判定部と、前記ロータリエンジンの運転状態に基づいて当該点火プラグの掃気の要否を判定する運転状態判定部と、掃気が必要な場合には、前記出力軸の負荷状態が所定の低負荷にあるときを除き、トレーリング側の点火プラグを含めた全ての点火プラグを燃焼サイクル毎に一つずつ順番に休止させる全交番点火制御を実行する一方、掃気が必要な場合であって前記出力軸の負荷状態が前記所定の低負荷にあるときには、トレーリング側の点火プラグを常時点火とし、且つリーディング側の点火プラグを燃焼サイクル毎に交互に点火するリーディング交番点火制御を実行する燃焼制御部とを備えていることを特徴とするロータリエンジンの制御装置である。この態様では、掃気が必要な場合には、原則として全ての点火プラグをローテーションに含めて燃焼サイクル毎に一つずつ休止するので、個々の点火プラグについて、積極的に掃気を促進することができる。しかも、掃気が必要な場合にロータリエンジンの出力軸が所定の低負荷にあるときは、トレーリング側の点火プラグを常時点火とした状態でリーディング側の点火プラグのみを交番点火させるので、リーディング側の点火プラグのみが点火されることによるトルク変動やそれに伴う振動を回避し、安定した走行状態を維持しつつリーディング側の点火プラグの掃気性を確保することができる。
【０００８】
好ましい態様において、前記燃焼制御部は、前記全交番点火制御を実行する場合において、トレーリング側の点火プラグの点火を休止させるときには、リーディング側の２個の点火プラグの点火タイミングを互いにずらすものである。この態様では、特に燃焼対称性が崩れやすいリーディング側の点火プラグのみによる交番点火時において、リーディング側の２個の点火プラグの点火タイミングを互いにずらすことにより、角速度の変動を抑制することができ、ロータリエンジンの振動を抑制することができる。
【０００９】
好ましい態様において、前記負荷状態判定部は、当該ロータリエンジンに接続された変速機がニュートラルレンジである場合に前記出力軸の負荷状態が前記所定の低負荷にあると判定するものである。この態様では、ロータリエンジンの振動が伝わりやすい運転状態を確実に検出し、リーディング交番点火制御によって掃気性と振動の抑制とを両立することができる。
【００１０】
好ましい態様において、前記負荷状態判定部は、当該ロータリエンジンに接続された変速機のクラッチが遮断された場合に前記出力軸の負荷状態が前記所定の低負荷にあると判定するものである。この態様では、ロータリエンジンの振動が伝わりやすい運転状態を確実に検出し、リーディング交番点火制御によって掃気性と振動の抑制とを両立することができる。
【００１１】
好ましい態様において、前記運転状態判定部は、当該ロータリエンジンの回転速度が所定速度以下の運転状態のときに掃気が必要であると判定するものである。この態様では、特に点火プラグの掃気性悪化が問題となる運転状態において交番点火制御を実行し、それ以外の運転状態では、異なる点火制御を実行することができるので、運転状態に応じて最適な点火制御を実現しつつ、点火プラグの掃気性を確保することができる。
【００１２】
好ましい態様において、前記トレーリング側の点火プラグは、当該ロータハウジングの幅方向中央部に配置されているとともに、前記リーディング側の点火プラグは、当該ロータハウジングの側部から見て、前記トレーリング側の点火プラグを通るロータ回転方向沿いの中心線を軸に線対称に配置されている。この態様では、トレーリング側の点火プラグを点火させた際の火炎が、両リーディング側の点火プラグ間に延びるので、トレーリング側の点火プラグによる火炎面を確保することができる。また、冷却損失の少ないリーディング側に２つの点火プラグを配置していることと相俟って、高い熱効率に寄与することができる。このような点火プラグの配置を採用して交番点火制御を実行することにより、可及的に燃焼対称性を損なうことなく、掃気性を確保することができる。
【発明の効果】
【００１３】
以上説明したように、本発明は、掃気が必要な運転状態では、原則として全ての点火プラグをローテーションに含めて交番点火させる一方、エンジンの振動が伝達しやすい運転状態で掃気が必要と判定された場合には、トレーリング側の点火プラグを常時点火とした状態でリーディング側の点火プラグを交番点火させるので、掃気性が要請される運転状態では可能な限り交番点火を実行しつつ、振動を来すことなく掃気を効率よく行うことという顕著な効果を奏する。
【発明を実施するための最良の形態】
【００１４】
以下、添付図面を参照しながら本発明の好ましい実施の形態について説明する。
【００１５】
図１は、本発明の実施の一形態に係るロータリエンジンを模式的に示したブロック図であり、図２は同エンジンの側部を示す概略図である。
【００１６】
まず図１を参照して、２つのロータハウジング（図１では、展開された状態で模式的に示している）１５を３つのサイドハウジング（図示せず）の間に重ね合わせて一体化し、その間に形成される２つのロータ収容室１６を形成した２ロータタイプのものである。
【００１７】
ロータ収容室１６は、トロコイド内周面を有する繭状を呈しており、その内部には、ロータ１７が収容されている。
【００１８】
ロータ１７は、特殊鋳鉄製品であり、各頂部に固定されたアペックスシールをロータ収容室１６の内周面に常時摺接させた状態で偏心周回するものである。このロータ１７は、ロータ収容室１６内に３つの燃焼室を区画している。ロータハウジング１５には、これら３つの燃焼室に対応して、それぞれに一組の点火プラグ１８０〜１８２と、気体燃料噴射弁１９とが接続されている。
【００１９】
図２を参照して、点火プラグ１８０〜１８２は、ロータハウジング１５の短軸１５ａよりもトレーリング側の点火プラグ（以下、「Ｔプラグ」ともいう）１８０と、第１、第２のリーディング側の点火プラグ（以下、「Ｌプラグ」ともいう）１８１、１８２の３本の組である。Ｔプラグ１８０は、ロータハウジング１５の幅方向中央部に配置されている。他方、第１、第２のＬプラグ１８１、１８２は、ロータハウジング１５の側部から見て（すなわち、図２において）、Ｔプラグ１８０を通るロータ回転方向沿いの中心線Ｌを軸に線対称に配置されている。この結果、Ｔプラグ１８０と第１のＬプラグ１８１との距離は、Ｔプラグ１８０と第２のＬプラグ１８２との距離と等しくなっている。図２のレイアウトを採用した場合、Ｔプラグ１８０が点火されることによって生じる火炎ＦＴは、両Ｌプラグ１８１、１８２間に延びるので、この火炎ＦＴがＬプラグ１８１、１８２の火炎ＦＬと重複し、火炎面が低減することによる燃焼速度の低下を防止できる。また、両Ｌプラグ１８１、１８２が中心線Ｌを軸として対称形に配置されることにより、各Ｌプラグ１８１、１８２からの火炎ＦＬも、互いに干渉することなく、広い火炎面を確保し、速い燃焼速度を得ることができるようになる。尤も、各点火プラグ１８０〜１８２は、上述のように３本一組であればよく、例えば、一方のＬプラグ１８１と他方のＬプラグ１８２とは、中心線Ｌの両側に配置されていれば、中心線Ｌに対して非対称であってもよい。
【００２０】
各点火プラグ１８０〜１８２は、図略の連通孔を介してロータハウジング１５に区画されるロータ収容室１６に臨んでいる。
【００２１】
気体燃料噴射弁１９は、図略の気体燃料システムから供給された気体燃料（本実施形態では水素）を燃焼室に直接噴射する直噴式のものである。
【００２２】
ロータ１７の中央部には、インターナルギアが形成されており、サイドハウジングに形成された固定ギアと噛合することにより、正確な周回軌道が維持されている。さらにロータ１７の中央部には、出力軸としてのエキセントリックシャフト２０が嵌合している。
【００２３】
各ロータ収容室１６には、吸気管２１と図略の排気管とが接続されている。この吸気管２１を介して、新気が燃焼室内に導入されるとともに、排気管を通して既燃ガスが排出されるように構成されている。
【００２４】
各吸気管２１には、ガソリン燃料を噴射するためのポート燃料噴射弁２２が取り付けられている。各吸気管２１は、吸気上流管２３の下流端からロータ収容室１６毎に分岐している。この吸気上流管２３には、スロットル弁２４が設けられており、アクチュエータ２５で開閉駆動されるようになっている。
【００２５】
点火プラグ１８０〜１８２、燃料噴射弁１９および２２、並びにアクチュエータ２５は、詳しくは後述する制御ユニット（ＰＣＭ：Ｐｏｗｅｒｔｒａｉｎ  Ｃｏｎｔｒｏｌ  Ｍｏｄｕｌｅ）１００によって運転制御されるように構成されている。
【００２６】
本実施形態において、ロータリエンジン１０は、図略の手動式変速機と接続されて、パワートレインを構成しており、エキセントリックシャフト２０の動力がクラッチを介して接続遮断されるようになっている。このクラッチの接続遮断動作や手動変速機のギア段を検出するために、本実施形態では、シフトセンサＳＷ１０やクラッチペダルセンサＳＷ１１が設けられている。
【００２７】
図１を参照して、制御ユニット１００は、マイクロプロセッサ、主記憶装置、補助記憶装置、および入出力装置を主要素とするユニットである。制御ユニット１００に接続される入力要素としては、アクセル開度センサＳＷ４と、エンジン回転速度センサＳＷ５と、シフトセンサＳＷ１０と、クラッチペダルセンサＳＷ１１とが含まれている。また、制御ユニット１００に接続される出力要素としては、上述した点火プラグ１８０〜１８２、燃料噴射弁１９および２２、並びにアクチュエータ２５が含まれている。
【００２８】
そして、制御ユニット１００は、上述した入力要素やプログラムによって、ロータリエンジン１０の運転状態を判定する運転状態判定部１０１と、エキセントリックシャフト２０の負荷状態を判定する負荷状態判定部１０２と、ロータリエンジン１０の燃焼（特に点火）を制御する燃焼制御部１０３とを論理的に構成している。
【００２９】
運転状態判定部１０１は、アクセル開度センサＳＷ４やエンジン回転速度センサＳＷ５の検出信号に基づきロータリエンジン１０の負荷状態や回転速度Ｎｅ等、種々の運転状態を判定するものである。この運転状態判定部１０１は、掃気の要否をも判定する機能を有する。この実施形態において掃気が必要な条件は、アクセルの踏み込み量が０であり、エンジン回転速度Ｎｅが所定速度Ｎｓｔ（例えば２０００ｒｐｍ）以下である場合である。そのような運転状況では、各点火プラグ１８０〜１８２をロータ収容室１６に連通する連通孔に既燃ガスが籠もりやすい状態にあるので、本実施形態では、掃気の要否判定を運転状態判定部１０１によって行ない、掃気が必要な場合には、交番点火制御を実行することによって、各点火プラグ１８０〜１８２の掃気性を高めるようにしているのである。
【００３０】
負荷状態判定部１０２は、シフトセンサＳＷ１０と、クラッチペダルセンサＳＷ１１との検出信号に基づき、エキセントリックシャフト２０の負荷状態を判定するものである。本実施形態では、ロータリエンジン１０に接続された変速機がニュートラルレンジにある場合、またはクラッチが遮断された場合には、エキセントリックシャフト２０の負荷が小さいと判定する。変速機がニュートラルレンジにシフトしている場合、或いはアイドリング運転時等でクラッチが遮断されているような場合、エキセントリックシャフト２０は、専らロータリエンジン１０の燃焼のみによって駆動されている状態にある。そのようにエキセントリックシャフト２０の負荷が小さい運転状態では、燃焼対称性が崩れてトルク変動が生じた際に大きな振動の原因となってしまうことになる。そこで、本実施形態では、掃気性を確保するために交番点火制御を実行するに際し、ロータリエンジン１０の振動が極力小さくなるように制御するため、負荷状態判定部１０２によってエキセントリックシャフト２０の負荷状態を判定するようにしているのである。
【００３１】
燃焼制御部１０３は、ロータリエンジン１０のスロットル制御や、点火タイミングの制御を司る要素である。ここで、本実施形態においては、掃気が必要な場合には、エキセントリックシャフト２０の負荷状態が低負荷にあるときを除き、Ｔプラグ１８０を含めた全ての点火プラグ１８０〜１８２を燃焼サイクル毎に一つずつ順番に休止させる制御（以下、「全交番点火制御」という）を実行する一方、掃気が必要な場合であって、エキセントリックシャフト２０の負荷状態が低負荷にあるときには、Ｔプラグ１８０を常時点火とし、且つＬプラグ１８１、１８２を燃焼サイクル毎に交互に点火する制御（以下、「リーディング交番点火制御」）を実行するように構成されている。
【００３２】
図３および図４は、点火プラグの点火制御例を示す説明図である。
【００３３】
図３を参照して、レンジポジションがドライブレンジである場合や、クラッチが接続されている場合には、エキセントリックシャフト２０に対して変速機や変速機を伝わる車両のタイヤからの負荷が作用するので、多少のトルク変動があっても、振動が生じにくくなっている。そこで本実施形態では、掃気が必要な場合であって振動が問題とならない運転状態では、全交番点火制御を実行することによって、Ｔプラグ１８０を含めた全ての点火プラグ１８０〜１８２を燃焼サイクル毎に一つずつ順番に休止させ、各点火プラグ１８０〜１８２の掃気性を確保するようにしている。
【００３４】
他方、図４を参照して、振動が伝わりやすい運転状態で掃気の必要が生じた場合には、リーディング交番点火制御を実行することによって、Ｔプラグ１８０を常時点火とし、且つＬプラグ１８１、１８２を燃焼サイクル毎に交互に点火し、掃気性に配慮しつつ燃焼時のトルク変動による振動の発生を極力抑制するようにしているのである。
【００３５】
次に、本実施形態に係るロータリエンジン１０の制御例について説明する。
【００３６】
図５は本発明の実施形態に係る制御例を示すフローチャートである。
【００３７】
図５を参照して、同図に示す制御例において、制御ユニット１００は、アクセル開度センサＳＷ４とエンジン回転速度センサＳＷ５の信号を読み取り（ステップＳ１）、アクセルが踏み込まれているか否かを判定する（ステップＳ２）。ステップＳ２において、アクセルが踏み込まれていない場合には、さらにエンジン回転速度Ｎｅが、所定速度Ｎｓｔ（例えば、２０００ｒｐｍ）以下であるか否かを判定する（ステップＳ３）。アクセルが踏み込まれておらず、エンジン回転速度Ｎｅが所定速度Ｎｓｔ以下である場合には、運転状態判定部１０１は、掃気が必要であると判定し、燃焼制御部１０３は、この判定に基づいて、交番点火制御を実行することになる。ここで本実施形態では、交番点火制御の実行に先立ち、シフトセンサＳＷ１０とクラッチペダルセンサＳＷ１１の出力した信号を読み取り（ステップＳ４）、エキセントリックシャフト２０の負荷状態を判定する（ステップＳ５）。仮にシフトポジションがニュートラルレンジになっていた場合またはクラッチが遮断されている場合には、エキセントリックシャフト２０の負荷状態が低負荷であると判定され、燃焼制御部１０３は、リーディング交番点火制御を実行する（ステップＳ６）。このリーディング交番点火制御では、図４に示すようにＴプラグ１８０は、各燃焼サイクルで必ず点火され、第１のＬプラグ１８１と第２のＬプラグ１８２とが燃焼サイクル毎にローテーションで休止するように制御される。この結果、大きなトルク変動を抑制しつつ、比較的既燃ガスが籠もりやすいＬプラグ１８１、１８２については、高い掃気性を確保し、失火を防止することができる。
【００３８】
点火制御が終了した後、燃焼制御部１０３は、未点火の燃焼プラグを記憶し（ステップＳ７）、次の交番点火時に休止する点火プラグを特定するようにしている。その後、エンジンの運転が終了したか否かを運転状態判定部１０１が判定し（ステップＳ８）、運転停止でない場合にはステップＳ１に戻って上述した制御を繰り返し、運転停止の場合には制御を終了する。
【００３９】
ステップＳ２において、アクセルが踏み込まれている場合、或いは、ステップＳ３において、エンジン回転速度Ｎｅが所定速度Ｎｓｔを越えている場合、燃焼制御部１０３は、通常運転サブルーチンを実行する（ステップＳ９）。この通常運転サブルーチンでは、ロータリエンジン１０の運転状態に応じて、例えば特許文献１に示したような点火制御を実行することにより、運転領域に応じて好適な燃焼特性を得ることができる。
【００４０】
また、ステップＳ５において、エキセントリックシャフト２０の負荷状態が高いと判定された場合には、全交番点火制御が実行される（ステップＳ１０）。この全交番点火制御では、図３に示すようにＴプラグ１８０を含む全ての点火プラグ１８０〜１８２がローテーションに含められ、燃焼サイクル毎に一つずつ休止するように制御される。この結果、各点火プラグ１８０〜１８２について、高い掃気性を確保し、失火を防止することができる。
【００４１】
ここで、本実施形態においては、ステップＳ７の情報に基づいて、Ｔプラグ１８０が休止するローテーションであるか否かが判定され（ステップＳ１１）、Ｔプラグ１８０が休止するローテーションでは、第１のＬプラグ１８１と第２のＬプラグ１８２の点火タイミングをずらす制御が実行される（ステップＳ１２）。具体的には、第１のＬプラグ１８１を先に点火し、次いで第２のＬプラグ１８２を点火するように、第１のＬプラグ１８１の点火タイミングをアドバンスさせる、或いは第２のＬプラグ１８２の点火タイミングをリタードさせるといった制御が実行される。これにより、両Ｌプラグ１８１、１８２を同時に点火させる場合に比べてトルク変動が大きくなるのを抑制し、振動の少ない運転特性を得るようにしている。
【００４２】
以上説明したように本実施形態によれば、掃気が必要な場合には、原則として全ての点火プラグ１８０〜１８２をローテーションに含めて燃焼サイクル毎に一つずつ休止させるので、個々の点火プラグ１８０〜１８２について、積極的に掃気を促進することができる。しかも、エキセントリックシャフト２０が所定の低負荷時においては、Ｔプラグ１８０を常時点火とした状態でＬプラグ１８１、１８２のみを交番点火させるので、Ｌプラグ１８１、１８２のみが点火されることによるトルク変動やそれに伴う振動を回避し、安定した走行状態を維持しつつ各Ｌプラグ１８１、１８２の掃気性を確保することができる。
【００４３】
また本実施形態では、燃焼制御部１０３は、全交番点火制御を実行する場合において、Ｔプラグ１８０の点火を休止させるときには、２個のＬプラグ１８１、１８２の点火タイミングを互いにずらすものである。このため本実施形態では、特に燃焼対称性が崩れやすいＬプラグ１８１、１８２のみによる交番点火時において、Ｌプラグ１８１、１８２の点火タイミングをずらすことにより、Ｌプラグ１８１、１８２の何れか一方とＴプラグ１８０による点火の場合に近い点火タイミングとなることにより、ロータ１７の角速度の変動を抑制することができ、ロータリエンジン１０の振動を抑制することができる。
【００４４】
また本実施形態では、負荷状態判定部１０２は、当該ロータリエンジン１０に接続された変速機がニュートラルレンジである場合、または、当該ロータリエンジン１０に接続された変速機のクラッチが遮断された場合に、エキセントリックシャフト２０の負荷状態が所定の低負荷にあると判定するものである。このため本実施形態では、ロータリエンジン１０の振動が伝わりやすい運転状態を確実に検出し、リーディング交番点火制御によって掃気性と振動の抑制とを両立することができる。
【００４５】
また本実施形態では、運転状態判定部１０１は、当該ロータリエンジン１０の回転速度Ｎｅが所定速度Ｎｓｔ以下の運転状態のときに掃気が必要であると判定するものである。このため本実施形態では、特に点火プラグ１８０〜１８２の掃気性悪化が問題となる運転状態において交番点火制御を実行し、それ以外の運転状態では、異なる点火制御を実行することができるので、運転状態に応じて最適な点火制御を実現しつつ、点火プラグ１８０〜１８２の掃気性を確保することができる。
【００４６】
また本実施形態では、Ｔプラグ１８０は、当該ロータハウジング１５の幅方向中央部に配置されているとともに、Ｌプラグ１８１、１８２は、当該ロータハウジング１５の側部から見て、Ｔプラグ１８０を通るロータ回転方向沿いの中心線Ｌを軸に線対称に配置されている。このため本実施形態では、Ｔプラグ１８０を点火させた際の火炎ＦＴが、両Ｌプラグ１８１、１８２間に延びるので、Ｔプラグ１８０による火炎面を確保することができる。また、冷却損失の少ないリーディング側に２つの点火プラグ１８０〜１８２を配置していることと相俟って、高い熱効率に寄与することができる。このような点火プラグ１８０〜１８２の配置を採用して交番点火制御を実行することにより、可及的に燃焼対称性を損なうことなく、掃気性を確保することができる。
【００４７】
上述した実施形態は、本発明の好ましい具体例に過ぎず、本発明は上述した実施形態に限定されない。
【００４８】
例えば、負荷状態判定部１０２を具体化するに当たり、本実施形態では、シフトセンサＳＷ１０とクラッチペダルセンサＳＷ１１の双方から信号を検出しているが、何れか一方を省略し、レンジポジションとクラッチの接続遮断状態の何れか一方のみによって、エキセントリックシャフト２０の負荷状態を判定するようにしてもよい。
【００４９】
また、Ｌプラグ１８１、１８２は、中心線Ｌの両側に配置されていれば非対称であってもよい。
【００５０】
その他、本発明の特許請求の範囲内で種々の変更が可能であることはいうまでもない。
【図面の簡単な説明】
【００５１】
【図１】本発明の実施の一形態に係るロータリエンジンを模式的に示したブロック図である。
【図２】図２は同エンジンの側部を示す概略図である。
【図３】点火プラグの点火制御例（全交番点火制御）を示す説明図である。
【図４】点火プラグの点火制御例（リーディング交番点火制御）を示す説明図である。
【図５】本発明の実施形態に係る制御例を示すフローチャートである。
【符号の説明】
【００５２】
１０  ロータリエンジン
１５  ロータハウジング
１５ａ  短軸
２０  エキセントリックシャフト（出力軸）
１００  制御ユニット
１０１  運転状態判定部
１０２  負荷状態判定部
１０３  燃焼制御部
１８０  Ｔプラグ（トレーリング側の点火プラグの一例）
１８１  第１のＬプラグ（リーディング側の点火プラグの一例）
１８２  第２のＬプラグ（リーディング側の点火プラグの一例）
Ｌ  中心線
Ｎｅ  エンジン回転速度
Ｎｓｔ  所定速度
ＳＷ４  アクセル開度センサ
ＳＷ５  エンジン回転速度センサ
ＳＷ１０  シフトセンサ
ＳＷ１１  クラッチペダルセンサ
【図１】
2008309073.tif 000003
【図２】
2008309073.tif 000004
【図３】
2008309073.tif 000005
【図４】
2008309073.tif 000006
【図５】
2008309073.tif 000007